(57)【要約】【課題】  電子部品の小型化に頼ることなく、電子機器の小型化を図ることができるようにする。【解決手段】  筐体と、筐体の内部に配されるキー操作部１１、電気音響変換器１３及び該電気音響変換器１３を収容する保持部２７とを備え、キー操作部１１が、弾性変形可能な略矩形板状の位置決め部材２５と、該位置決め部材２５の表面２５ａに配されると共に、筐体の表面２ｃ側に露出する複数の操作キー１０とを備え、保持部２７が、位置決め部材２５の表面２５ａの周縁部に連結されると共に、電気音響変換器１３の一端面１３ａに設けられた音孔１３ｂの少なくとも一部を筐体の外方に連通させるように形成され、電気音響変換器１３が保持部２７に収容された状態において、電気音響変換器１３の一端面１３ａの一部を筐体の厚さ方向に操作キー１０と重ねて配した電子機器を提供する。【選択図】      図４
2006203413.tif 000002
【特許請求の範囲】
【請求項１】
筐体と、筐体の内部に配されるキー操作部、電気音響変換器及び該電気音響変換器を収容する保持部とを備え、
前記キー操作部が、弾性変形可能な略矩形板状の位置決め部材と、該位置決め部材の表面に配されると共に、前記筐体の表面側に露出する複数の操作キーとを備え、
前記保持部が、前記位置決め部材の表面の周縁部に連結されると共に、前記電気音響変換器の一端面に設けられた音孔の少なくとも一部を前記筐体の外方に連通させるように形成され、
前記電気音響変換器が前記保持部に収容された状態において、前記電気音響変換器の一端面の一部が前記筐体の厚さ方向に前記操作キーと重ねて配されることを特徴とする電子機器。
【請求項２】
前記一端面のうち、少なくとも前記音孔の形成領域の中央部分が前記操作キーにより覆い隠されないように配置されていることを特徴とする請求項１に記載の電子機器。
【請求項３】
前記電気音響変換器は、前記音孔が前記位置決め部材により覆い隠されないように配置されていることを特徴とする請求項１に記載の電子機器。
【請求項４】
前記保持部が、弾性変形可能な樹脂材料から形成されると共に、前記電気音響変換器を収容する凹部を有し、
前記凹部を構成する底壁部に、その厚さ方向に貫通して前記音孔を露出させる貫通孔が形成され、
前記保持部が、前記底壁部を前記筐体の内面に当接させて配されることを特徴とする請求項１から請求項３のいずれか１項に記載の電子機器。
【請求項５】
前記保持部の周縁から前記位置決め部材の表面に沿う方向に一体的に延びる略板状のリブを備えることを特徴とする請求項１から請求項４のいずれか１項に記載の電子機器。
【請求項６】
前記リブが、前記保持部と共に前記位置決め部材の表面の周縁部に連結されることを特徴とする請求項５に記載の電子機器。
【請求項７】
前記筐体内部に固定され、前記位置決め部材の筐体内部側に配して前記位置決め部材を支持する略板状の支持部材を備え、
該支持部材に、前記保持部及び前記電気音響変換器を前記支持部材の厚さ方向に挿通させる切欠部が形成されていることを特徴とする請求項１から請求項６のいずれか１項に記載の電子機器。
【請求項８】
前記位置決め部材の筐体内部側に配されると共に、前記一端面とは反対側に位置する前記電気音響変換器の他端面に対向配置される回路基板と、
前記電気音響変換器と前記回路基板との間に配され、前記電気音響変換器及び前記回路基板を相互に電気的に接続する弾性変形可能なバネ部材とを備えることを特徴とする請求項１から請求項７のいずれか１項に記載の電子機器。
【請求項９】
前記操作キーに、大きさの異なる文字、数字、図形等の各種記号を形成した複数の記号形成領域が形成され、
該記号形成領域は前記操作キーの厚さ方向に光が透過可能に形成され、
前記位置決め部材のうち、小さい各種記号を形成した前記記号形成領域と前記厚さ方向に重なる領域が、他の領域よりも薄く形成されていることを特徴とする請求項１から請求項８のいずれか１項に記載の電子機器。
【発明の詳細な説明】
【技術分野】
【０００１】
この発明は、筐体内部にキー操作部及び電気音響変換器を備えた電子機器に関する。
【背景技術】
【０００２】
従来、電子機器には、筐体内部に配された回路基板の表面にマイクロフォン等の電気音響変換器を搭載したもの（例えば、特許文献１参照。）や、キー操作部から離れた位置に電気音響変換器を配したものがある。この種の電子機器、特に、携帯電話機、ＰＤＡ（Personal Digital Assistants）、デジタルカメラ、デジタルビデオカメラ、ノート型パーソナルコンピュータ等の携行可能な携帯電子機器では、その小型化や薄型化が求められている。
【特許文献１】特開平４−６１９９１号公報
【発明の開示】
【発明が解決しようとする課題】
【０００３】
しかしながら、上記従来の電子機器では、電気音響変換器をキー操作部から離れた位置に配していたため、電子機器の小型化を図る際には電気音響変換器の小型化や薄型化が不可欠となり、その改善は困難であるという問題があった。
この発明は、上述した事情に鑑みてなされたものであって、電子部品の小型化や薄型化に頼ることなく、電子機器の小型化を図ることができる電子機器を提供することを目的としている。
【課題を解決するための手段】
【０００４】
上記課題を解決するために、この発明は以下の手段を提案している。
本発明に係る電子機器は、筐体と、筐体の内部に配されるキー操作部、電気音響変換器及び該電気音響変換器を収容する保持部とを備え、前記キー操作部が、弾性変形可能な略矩形板状の位置決め部材と、該位置決め部材の表面に配されると共に、前記筐体の表面側に露出する複数の操作キーとを備え、前記保持部が、前記位置決め部材の表面の周縁部に連結されると共に、前記電気音響変換器の一端面に設けられた音孔の少なくとも一部を前記筐体の外方に連通させるように形成され、前記電気音響変換器が前記保持部に収容された状態において、前記電気音響変換器の一端面の一部が前記筐体の厚さ方向に前記操作キーと重ねて配されることを特徴とする。
なお、電気音響変換器とは、外方から音孔に到達した音響を電気信号に変更するマイクロフォン部や、電子信号を音響に変換して、該音響を音孔から外方に放出するスピーカ部を示している。
【０００５】
また、本発明に係る電子機器は、前記一端面のうち、少なくとも前記音孔の形成領域の中央部分が前記操作キーにより覆い隠されないように配置されていることを特徴とする。
さらに、本発明に係る電子機器は、前記電気音響変換器が、前記音孔を前記位置決め部材により覆い隠さないように配置されていることを特徴とする。
【０００６】
また、本発明に係る電子機器は、前記保持部が、弾性変形可能な樹脂材料から形成されると共に、前記電気音響変換器を収容する凹部を有し、前記凹部を構成する底壁部に、その厚さ方向に貫通して前記音孔を露出させる貫通孔が形成され、前記保持部が、前記底壁部を前記筐体の内面に当接させて配されることを特徴とする。
さらに、本発明に係る電子機器は、前記保持部の周縁から前記位置決め部材の表面に沿う方向に一体的に延びる略板状のリブを備えることを特徴とする。
【０００７】
また、本発明に係る電子機器は、前記リブが、前記保持部と共に前記位置決め部材の表面の周縁部に連結されることを特徴とする。
さらに、本発明に係る電子機器は、前記筐体内部に固定され、前記位置決め部材の筐体内部側に配して前記位置決め部材を支持する略板状の支持部材を備え、該支持部材に、前記保持部及び前記電気音響変換器を前記支持部材の厚さ方向に挿通させる切欠部が形成されていることを特徴とする。
【０００８】
また、本発明に係る電子機器は、前記位置決め部材の筐体内部側に配されると共に、前記一端面とは反対側に位置する前記電気音響変換器の他端面に対向配置される回路基板と、前記電気音響変換器と前記回路基板との間に配され、前記電気音響変換器及び前記回路基板を相互に電気的に接続する弾性変形可能なバネ部材とを備えることを特徴とする。
さらに、本発明に係る電子機器は、前記操作キーに、大きさの異なる文字、数字、図形等の各種記号を形成した複数の記号形成領域が形成され、該記号形成領域は前記操作キーの厚さ方向に光が透過可能に形成され、前記位置決め部材のうち、小さい各種記号を形成した前記記号形成領域と前記厚さ方向に重なる領域が、他の領域よりも薄く形成されていることを特徴とする。
【発明の効果】
【０００９】
この発明によれば、電気音響変換器の一端面の一部を位置決め部材の厚さ方向に重ねるため、すなわち、電気音響変換器がキー操作部に近接して配することができるため、電気音響変換器の小型化を行うことなく、電子機器の小型化を図ることができる。
【発明を実施するための最良の形態】
【００１０】
図１から図６は本発明に係る一実施形態を示しており、ここで説明する実施の形態は、この発明を携帯電話機に適用した場合のものである。
図１に示すように、この実施の形態に係る携帯電話機（電子機器）１は、第１の筐体２と、この第１の筐体２の厚さ方向に重ね合わせ可能な第２の筐体３と、これら２つの筐体２，３を相互に折り畳み自在に連結するヒンジ部５とを備えている。なお、ヒンジ部５は、２つの筐体２，３の各端部２ａ，３ａ（以下、基端部２ａ，３ａと呼ぶ。）同士を連結するように配されている。
【００１１】
第２の筐体３の内部には、ＬＣＤ（Liquid Crystal Display）等、表面に各種情報を表示する表示面７ａを有する表示部７及び通話用のスピーカ部９が設けられている。表示部７の表示面７ａは、２つの筐体２，３を相互に重ね合わせた状態において第１の筐体２に対向する第２の筐体３の対向面３ｃ側に露出している。スピーカ部９は、基端部３ａとは反対側に位置する第２の筐体３の先端部３ｂに配されており、第２の筐体３の対向面３ｃから第２の筐体３の内部空間に貫通する開口部３ｄを介して外方に露出している。
【００１２】
第１の筐体２の内部には、通話キー、終話キー等の各種の押圧可能な操作キー１０を備えたキー操作部１１及び通話用のマイクロフォン部（電気音響変換器）１３が設けられている。キー操作部１１の各操作キー１０は、２つの筐体２，３を相互に重ね合わせた状態において第２の筐体３に対向する第１の筐体２の対向面（表面）２ｃから外方に露出している。マイクロフォン部１３は、基端部２ａとは反対側に位置する第１の筐体２の先端部２ｂに配されており、第１の筐体２の対向面２ｃから第１の筐体２の内部空間に貫通する開口部２ｄを介して外方に露出している。
【００１３】
この第１の筐体２は、第１の筐体２の対向面２ｃ側を構成するフロントケース１７、及び、第１の筐体２の外面２ｅ側を構成するリアケース１９を備えている。これらフロントケース１７及びリアケース１９は、互いに第１の筐体２の厚さ方向に結合可能となっている。
この第１の筐体２の内部には、図２〜４に示すように、対向面２ｃの反対側に位置するフロントケース１７の内面１７ａ側から、前述したキー操作部１１、シールドケース（支持部材）２１及び回路基板２３が重ねて配されている。
キー操作部１１は、前述した複数の操作キー１０と、弾性変形可能な略矩形板状のゴムシート（位置決め部材）２５とを備えている。ゴムシート２５は、その厚さ方向に光を透過させることができる弾性変形可能な樹脂材料から形成されている。
【００１４】
複数の操作キー１０は、このゴムシート２５の表面２５ａに配され、フロントケース１７の内面１７ａから対向面２ｃに貫通する複数の貫通孔１７ｂから各々外方に露出するようになっている。また、各操作キー１０には、図２，５に示すように、文字、数字、図形等の各種記号を形成した複数の記号形成領域１０ａ〜１０ｃが形成されており、これら各記号形成領域１０ａ〜１０ｃは、操作キー１０の厚さ方向に光が透過できるように形成されている。そして、他の記号形成領域１０ａ，１０ｂよりも各種記号の大きさが小さい記号形成領域１０ｃと厚さ方向に重なるゴムシート２５の領域には、表面２５ａの反対側に位置するゴムシート２５の裏面２５ｂから厚さ方向に窪む凹部１２が形成され、他の領域よりも薄く形成されている。
また、図２〜４に示すように、このキー操作部１１は、ゴムシート２５の裏面２５ｂに配される薄膜状のスイッチシート２９を備えており、操作キー１０をゴムシート２５の表面２５ａから裏面２５ｂ側に押下した際に、ゴムシート２５が弾性変形してその裏面２５ｂ側がスイッチシート２９の表面に形成されたスイッチパターン２９ａに当接することになる。このスイッチパターン２９ａは、前述した回路基板２３と電気的に接続されている。
【００１５】
第１の筐体２の他端部２ｂ側に位置するゴムシート２５の表面２５ａの周縁部には、前述したマイクロフォン部１３を収容する保持部２７が一体的に形成されている。
保持部２７は、弾性変形可能な樹脂材料から形成されると共に略有底円筒状の収容凹部３１を備えており、この収容凹部３１に略円柱状のマイクロフォン部１３が収容されるようになっている。この保持部２７は、マイクロフォン部１３の外周面１３ｃを囲む略円筒状の筒状壁部３３と、筒状壁部３３の一端側に設けられ、音孔１３ｂを形成したマイクロフォン部１３の一端面１３ａに当接する底壁部３５とを備えている。底壁部３５の中央部分には、マイクロフォン部１３の音孔１３ｂを第１の筐体２の外方に連通させるための貫通孔３５ａが形成されている。これら筒状壁部３３の内周面３１ａ及び底壁部３５の底面３５ｂにより前述の収容凹部３１が構成される。
【００１６】
この保持部２７において、フロントケース１７の内面１７ａに対向する底壁部３５の外面３５ｃは、ゴムシート２５の表面２５ａと共に略同一平面を形成している。また、筒状壁部３３の他端側は、ゴムシート２５の裏面２５ｂから厚さ方向に突出している。
さらに、図４，６に示すように、筒状壁部３３の一部は、ゴムシート２５のうち、操作キー１０の配置領域と厚さ方向に重ねて配されている。ただし、筒状壁部３３の内周面３１ａ及び底壁部３５の貫通孔３５ａは、操作キー１０の配置領域と厚さ方向に重ならず、ゴムシート２５の他の領域と重なっている。すなわち、マイクロフォン部１３は、その音孔１３ｂがゴムシート２５により覆い隠されないように、かつ、その一端面１３ａの一部が第１の筐体の厚さ方向に操作キー１０と重ねて配されるように、収容凹部３１に収容される。
【００１７】
なお、保持部２７の収容凹部３１に収容されるマイクロフォン部１３は、外方から音孔１３ｂに到達した音響を電気信号に変換するものであり、その音孔１３ｂは、略円形に形成されており、マイクロフォン部１３の一端面１３ａの略中央部分に配されている。また、音孔１３ｂの面積は、マイクロフォン部１３の一端面１３ａの面積よりも小さく形成されている。すなわち、音孔１３ｂを除く一端面１３ａは前述した保持部２７の底壁部３５に当接し、音孔１３ｂは、その全体が底壁部３５の貫通孔３５ａから露出するようになっている。
【００１８】
また、マイクロフォン部１３の外周面１３ｃには突起３７が形成されており、マイクロフォン部１３を収容凹部３１内に収容した状態において、突起３７が筒状壁部３３の内周面３３ａを押さえ、マイクロフォン部１３を収容凹部３１に適度な拘束力により所定位置に位置規制すると共に脱着修理も可能としている。
さらに、一端面１３ａの反対側に位置するマイクロフォン部１３の他端面１３ｄには、弾性変形可能な一対のコイルスプリング（バネ部材）３９が突出して設けられており、マイクロフォン部１３に電気的に接続されている。このコイルスプリング３９は、回路基板２３に当接することにより、マイクロフォン部１３と回路基板２３とを電気的に接続するようになっている。
【００１９】
図２，３に示すように、保持部２７の筒状壁部３３には、その外周面３３ｂからゴムシート２５の表面２５ａに沿う方向に延びる一対のリブ４１が突出して形成されている。このリブ４１は、ゴムシート２５と略同一の厚さ寸法で形成されており、保持部２７と共にゴムシート２５に一体的に形成されている。
シールドケース２１は、略板状に形成されており、回路基板２３とスイッチシート２９との間に配されると共に、スイッチシート２９を介して第１の筐体２の内部側に位置するゴムシート２５の裏面２５ｂ側の略全体に配されるものである。このシールドケース２１は、第１の筐体２の内部に固定され、薄膜状のスイッチシート２９や弾性変形可能なゴムシート２５をリアケース１９側から支持する役割を果たしている。また、このシールドケース２１は導電性を有しており、回路基板２３のグランドパターン（不図示）に電気的に接続されるように構成されている。
【００２０】
第１の筐体２の先端部２ｂ側に位置するシールドケース２１の端部には、その表面２１ａ方向に窪む凹状の切欠部４３が形成されている。ゴムシート２５をフロントケース１７の内面１７ａに配すると共に、シールドケース２１をゴムシート２５の裏面２５ｂ側に配した状態においては、前述の切欠部４３にマイクロフォン部１３及び保持部２７の筒状壁部３３がシールドケース２１の厚さ方向に挿通されると共に、リブ４１がフロントケース１７とシールドケース２１とにより挟み込まれることになる。
【００２１】
以上のように構成された携帯電話機１において、マイクロフォン部１３の取付作業について以下に説明する。
マイクロフォン部１３を第１の筐体２の内部に取り付ける際には、はじめに、マイクロフォン部１３を保持部２７の収容凹部３１内に収容し、ゴムシート２５をフロントケース１７の内面１７ａに配する。この状態においては、第１の筐体２の開口部２ｄの周縁に位置する内面１７ａから突出する略円筒状のリブ１７ｃが、保持部２７の弾性力によって保持部２７の貫通孔３５ａに嵌合すると共に、リブ１７ｃの先端が音孔１３ｂの周縁に位置するマイクロフォン部１３の一端面１３ａに当接する。
【００２２】
その後、ゴムシート２５の裏面２５ｂ側にスイッチシート２９を配する。さらに、シールドケース２１及び回路基板２３を順次重ねて配置する。最後に、回路基板２３をシールドケース２１側に押さえつけるように、フロントケース１７にリアケース１９を結合することで、マイクロフォン部１３の取付作業が終了する。
この状態においては、マイクロフォン部１３の他端面１３ｄから突出するコイルスプリング３９に回路基板２３が当接するため、マイクロフォン部１３と回路基板２３との電気接続が保持されることになる。また、この状態においては、保持部２７の底壁部３５が第１の筐体２の内面１７ａに押し付けられて弾性変形する。
【００２３】
上記のように、この携帯電話機１によれば、マイクロフォン部１３の一端面１３ａの一部をゴムシート２５の厚さ方向に重ねて配するため、すなわち、マイクロフォン部１３をキー操作部１１に近接して配することができるため、マイクロフォン部１３自体の小型化に頼ることなく、第１の筐体２の基端部２ａから先端部２ｂに至る長さ寸法を短くして、携帯電話機１の小型化を図ることができる。
また、音孔１３ｂの面積をマイクロフォン部１３の一端面１３ａの面積よりも小さく形成すると共に、音孔１３ｂの全体を保持部２７の貫通孔３５ａ及び第１の筐体２の開口部２ｄから外方に露出させている、すなわち、ゴムシート２５により音孔１３ｂが覆い隠されないように構成しているため、マイクロフォン部１３の一端面の一部がゴムシート２５により覆い隠されても、音孔１３ｂ全体を第１の筐体２の対向面２ｃから外方に露出させることができる。したがって、マイクロフォン部１３の集音性能を損なうことがない。
【００２４】
また、保持部２７を弾性変形可能な樹脂材料から形成することにより、保持部２７の底壁部３５が第１の筐体２の内面１７ａに押し付けられて弾性変形するため、第１の筐体２とマイクロフォン部１３との隙間を介して第１の筐体２の内部に塵埃や水分等が進入することを防止できる。
保持部２７に一体的に形成された板状のリブ４１を設けているため、このリブ４１を第１の筐体２やシールドケース２１によりゴムシート２５の厚さ方向から挟み込むことにより、保持部２７がゴムシート２５の厚さ方向に移動することを抑制することができる。したがって、保持部２７及びこれに収容されるマイクロフォン部１３の厚さ方向に関して、第１の筐体２に対する位置決め精度を高めることができる。また、リブ４１を第１の筐体２やシールドケース２１により挟み込んだ状態においては、保持部２７がゴムシート２５の厚さ方向に移動することを抑制できるため、保持部２７及びマイクロフォン部１３が第１の筐体２に対して振動することも抑制できるので、音響もれ対策にもなる。
【００２５】
保持部２７が、リブ４１と共にゴムシート２５に一体的に形成されているため、ゴムシート２５に対して保持部２７が移動することを規制できる。すなわち、ゴムシート２５を第１の筐体２の所定位置に固定することにより保持部２７も所定の位置に固定することができる。したがって、第１の筐体２に振動が加えられたとしても、保持部２７がゴムシート２５に対して一体的に固定されているため、保持部２７及びマイクロフォン部１３がゴムシート２５に対して振動することを抑制できる。
【００２６】
前記ゴムシート２５やスイッチシート２９を支持するシールドケース２１を設けても、保持部２７及びマイクロフォン部１３を切欠部４３に挿通させることにより、シールドケース２１が保持部２７及びマイクロフォン部１３と第１の筐体２の厚さ方向に重なり合うことがないため、携帯電話機１の薄型化を図ることができる。
また、導電性を有するシールドケース２１は、回路基板２３のグランドパターンに電気的に接続されているため、スイッチシート２９やマイクロフォン部１３が帯電することを未然に防止できる。
【００２７】
コイルスプリング３９を介してマイクロフォン部１３を回路基板２３に押さえつけた状態においては、コイルスプリング３９の付勢力により、コイルスプリング３９がマイクロフォン部１３及び回路基板２３の両方に当接するため、マイクロフォン部１３と回路基板２３との電気接続を確実に保持することができる。
また、操作キー１０の記号形成領域１０ａ〜１０ｃのうち、各種記号の大きさが小さい記号形成領域１０ｃと厚さ方向に重なるゴムシート２５の領域が、他の領域よりも薄く形成されているため、ゴムシート２５の裏面２５ｂ側から光を入射させた際に、操作キー１０の記号形成領域１０ｃの小さい各種記号であっても光を十分に透過させることができる。すなわち、暗い場所においても、操作キー１０に形成された大きさの異なる各種記号全てを容易に視認することができる。なお、他の領域とは、各種記号を形成していない領域、及び／又は、各種記号の大きい記号形成領域１０ａ，１０ｂを示している。
【００２８】
なお、上記の実施形態において、保持部２７及びリブ４１は、ゴムシート２５に一体的に形成されるとしたが、これに限ることはなく、ゴムシート２５とは別個の部材から形成した後に、ゴムシート２５に連結するように構成するとしても構わない。この構成においても、保持部２７及びリブ４１がゴムシート２５に一体的に固定されることになり、ゴムシート２５に対して保持部２７が移動することを規制できる。
また、ゴムシート２５のうち、各記号形成領域１０ａ〜１０ｃと厚さ方向に重なる領域には、ゴムシート２５の裏面２５ｂから窪む凹部１２が形成されるとしたが、これに限ることはなく、少なくとも各記号形成領域１０ａ〜１０ｃと厚さ方向に重なる領域が他の領域よりも薄く形成されていればよい。
【００２９】
さらに、コイルスプリング３９は、マイクロフォン部１３の他端面１３ｄから突出して設けられるとしたが、これに限ることはなく、少なくともマイクロフォン部１３と回路基板２３との間に配されていればよい。すなわち、コイルスプリング３９は、例えば、回路基板２３の表面から突出して設けられるとしても構わない。
また、マイクロフォン部１３は、その音孔全体がゴムシート２５により覆い隠されない、すなわち、保持部２７の貫通孔３５ａ及び第１の筐体２の開口部２ｄを介して外方に露出されるように、収容凹部３１に収容されるとしたが、これに限ることはなく、少なくとも音孔１３ｂの一部がゴムシート２５により覆い隠されないように収容凹部３１に収容されていればよい。ただし、一般に、マイクロフォン部１３の音孔１３ｂは、その形成領域の中央部分において集音性能が高いため、マイクロフォン部１３は、略円形の音孔１３ｂの中央部分が操作キー１０により覆い隠されないように、収容凹部３１に収容されることが好ましい。この構成の場合には、マイクロフォン部１３の集音性能を十分に発揮させることができる。
【００３０】
さらに、保持部２７には、マイクロフォン部１３が収容されるとしたが、これに限ることはなく、例えば、電気信号を音響に変換して、該音響を音孔１３ｂから外方に放出するスピーカ部を収容するとしても構わない。
また、ヒンジ部５によって互いに連結された２つの筐体２，３を備える携帯電話機１，５１について述べたが、これに限ることはなく、例えば、１つの筐体から構成される携帯電話機であっても構わない。
【００３１】
さらに、携帯電話機に限ることはなく、少なくとも２つのケース部材を厚さ方向に結合してなる筐体と、筐体の内部に回路基板と、回路基板に電気接続されるモーター等の各種電子部品とを備える電子機器に適用することができ、例えば、ＰＤＡやデジタルカメラ、デジタルビデオカメラ、ノート型パーソナルコンピュータであってもよい。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３２】
【図１】この発明の一実施形態に係る携帯電話機の第１、第２の筐体を相互に開いた状態を示す概略斜視図である。
【図２】図１の携帯電話機において、第１の筐体のフロントケース、ゴムシート、マイクロフォン部及びシールドケースを示す分解斜視図である。
【図３】図１の携帯電話機において、第１の筐体の内部に配されたマイクロフォン部及びその周囲の構成を示す拡大断面図である。
【図４】図１の携帯電話機において、第１の筐体の内部に配されたマイクロフォン部及びその周囲の構成を示す拡大断面図である。
【図５】図１の携帯電話機において、操作キーを示す拡大平面図である。
【図６】図１の携帯電話機において、ゴムシート及び保持部を示す拡大平面図である。
【符号の説明】
【００３３】
１  携帯電話機（電子機器）
２  第１の筐体
２ｃ  対向面（表面）
１０  操作キー
１０ａ〜１０ｃ  記号形成領域
１１  キー操作部
１３  マイクロフォン部（電気音響変換器）
１３ａ  一端面
１３ｂ  音孔
１３ｄ  他端面
２１  シールドケース（支持部材）
２３  回路基板
２５  ゴムシート（位置決め部材）
２５ａ  表面
２７  保持部
３１  収容凹部
３５  底壁部
３５ａ  貫通孔
３９  コイルスプリング（バネ部材）
４１  リブ
【図１】
2006203413.tif 000003
【図２】
2006203413.tif 000004
【図３】
2006203413.tif 000005
【図４】
2006203413.tif 000006
【図５】
2006203413.tif 000007
【図６】
2006203413.tif 000008